(57)【特許請求の範囲】
【請求項１】
波長多重光に対する光分岐挿入を行う光スイッチ手段と、前記波長多重光に含まれる個々の信号光単位に光パワーの制御を行う光パワー制御手段と、他の装置との間で制御情報の送受信を行う制御情報通信手段と、を含む光分岐挿入装置であって、
前記光パワー制御手段は、
自光分岐挿入装置が、光信号の挿入を行なう場合、該光信号の光パワーが第１の所定値以下の場合には、光減衰器を半開きにするオートレベルダウン状態に遷移し、該光信号の光パワーが該第１の所定値より大きい場合には、オートレベルコントロール状態に遷移する第１制御モードを行い、
自光分岐挿入装置が、該光信号を通過させる場合、該光信号の光パワーが第２の所定値以下の場合には、該光減衰器を閉状態にするシャットダウン状態に遷移し、該制御情報通信手段によって受信される制御情報が、該光信号が正常である旨を示しているときに、該シャットダウン状態からオートレベルコントロール状態に遷移する第２制御モードを行なう、ことを特徴とする光分岐挿入装置。
【請求項２】
請求項１記載の光分岐挿入装置において、
前記第１制御モードは、電源投入時の、入力波長選択及び光パワー制御を行なわないブロック状態と、前記挿入光の使用開始を認識した時の、前記光減衰器を閉状態にするシャットダウン状態と、前記挿入光の光パワーの自動制御に移行するか否かを判別するための、該光減衰器を半開きにするオートレベルダウン状態と、前記挿入光の光パワーを前記自動制御によって目標レベルに一致させるオートレベルコントロール状態 と、を含み、
前記シャットダウン状態から前記オートレベルダウン状態への遷移および復帰は、外部からのシャットダウン解除およびシャットダウン設定の指令によって行われ、
前記オートレベルダウン状態から前記オートレベルコントロール状態への遷移および復帰は、前記挿入光の光パワーが第１閾値を超過したか否か、および第２閾値を下回ったか否かに基づいて行われることを特徴とする光分岐挿入装置。
【請求項３】
請求項１記載の光分岐挿入装置において、
前記第２制御モードは、電源投入時の、入力波長選択及び光パワー制御を行なわないブロック状態と、前記通過光の使用開始を認識した時の、前記光減衰器を閉状態にするシャットダウン状態と、前記通過光の光パワーを自動制御によって目標レベルに一致させるオートレベルコントロール状態と、を含み、
前記シャットダウン状態から前記オートレベルコントロール状態への遷移は、前記制御情報通信手段を介して他の前記光分岐挿入装置から通知される制御情報に基づいて実行され、前記オートレベルコントロール状態からの離脱は、前記光パワーと閾値との比較に基づいて実行されることを特徴とする光分岐挿入装置。
【請求項４】
請求項１記載の光分岐挿入装置において、
さらに、個々の前記信号光毎の光パワーを調整する光減衰手段と、個々の前記信号光毎の光パワーを検出する光パワー観測手段とを含み、
前記オートレベルコントロールは、前記光パワー観測手段から得られる前記光パワーに基づいて前記光減衰手段を制御するフィードバック制御であることを特徴とする光分岐挿入装置。
【請求項５】
波長多重光に対する信号光の光分岐挿入を行う光分岐挿入装置の制御方法であって、
制御対象の前記信号光が、自装置において挿入された挿入光か、外部から到来する通過光かを判別するステップと、
前記信号光が前記挿入光の場合には、該光信号の光パワーが第１の所定値以下の場合には、光減衰器を半開きにするオートレベルダウン状態に遷移し、該光信号の光パワーが該第１の所定値より大きい場合には、オートレベルコントロール状態に遷移する第１制御モードを実行し、
前記信号光が前記通過光の場合には、該光信号の光パワーが第２の所定値以下の場合には、該光減衰器を閉状態にするシャットダウン状態に遷移し、該制御情報通信手段によって受信される制御情報が、該光信号が正常である旨を示しているときに、該シャットダウン状態からオートレベルコントロール状態に遷移する第２制御モードを実行するステップと、
を含むことを特徴とする光分岐挿入装置の制御方法。
【請求項６】
請求項５記載の光分岐挿入装置の制御方法において、
前記第１制御モードは、電源投入時の、入力波長選択及び光パワー制御を行なわないブロック状態と、前記挿入光の使用開始を認識した時の、前記光減衰器を閉状態にするシャットダウン状態と、前記挿入光の光パワーの自動制御に移行するか否かを判別するための、該光減衰器を半開きにするオートレベルダウン状態と、前記挿入光の光パワーを前記自動制御によって目標レベルに一致させるオートレベルコントロール状態と、を含み、
前記シャットダウン状態から前記オートレベルダウン状態への遷移および復帰は、外部からのシャットダウン解除およびシャットダウン設定の指令によって行われ、
前記オートレベルダウン状態から前記オートレベルコントロール状態への遷移および復帰は、前記挿入光の光パワーが第１閾値を超過したか否か、および第２閾値を下回ったか否かに基づいて行われることを特徴とする光分岐挿入装置の制御方法。
【請求項７】
請求項５記載の光分岐挿入装置の制御方法において、
前記第２制御モードは、電源投入時の、入力波長選択及び光パワー制御を行なわないブロック状態と、前記通過光の使用開始を認識した時の、前記光減衰器を閉状態にするシャットダウン状態と、前記挿入光の光パワーを自動制御によって目標レベルに一致させるオートレベルコントロール状態と、を含み、
前記シャットダウン状態から前記オートレベルコントロール状態への遷移は、他の前記光分岐挿入装置から通知される制御情報に基づいて実行され、
前記オートレベルコントロール状態からの離脱は、前記光パワーと閾値との比較に基づいて実行されることを特徴とする光分岐挿入装置の制御方法。
【請求項８】
請求項５記載の光分岐挿入装置の制御方法において、
前記オートレベルコントロールは、当該光パワーの観測結果に基づいて減衰量を変化させるフィードバック制御であることを特徴とする光分岐挿入装置の制御方法。
【請求項９】
波長多重光に対する信号光の光分岐挿入を行う光分岐挿入装置の制御プログラムであって、
前記光分岐挿入装置を構成するコンピュータに、
制御対象の前記信号光が、自装置において挿入された挿入光か、外部から到来する通過光かを判別する機能と、
前記信号光が前記挿入光の場合には、該光信号の光パワーが第１の所定値以下の場合には、光減衰器を半開きにするオートレベルダウン状態に遷移し、該光信号の光パワーが該第１の所定値より大きい場合には、オートレベルコントロール状態に遷移する第１制御モードを実行する機能と、
前記信号光が前記通過光の場合には、該光信号の光パワーが第２の所定値以下の場合には、該光減衰器を閉状態にするシャットダウン状態に遷移し、該制御情報通信手段によって受信される制御情報が、該光信号が正常である旨を示しているときに、該シャットダウン状態からオートレベルコントロール状態に遷移する第２制御モードを実行する機能と、
を実現させるための光分岐挿入装置の制御プログラム。
【発明の詳細な説明】
【技術分野】
【０００１】
本発明は、光分岐挿入技術および制御プログラムに関し、たとえば、波長分離多重（ＷＤＭ：Ｗａｖｅｌｅｎｇｔｈ  Ｄｉｖｉｓｉｏｎ  Ｍｕｌｔｉｐｌｅｘ）を用いた光ネットワークを構成する光分岐挿入装置およびその制御技術等に適用して有効な技術に関する。
【背景技術】
【０００２】
近年、通信容量と通信距離の増大にともない、ネットワークの大容量化と長距離化が要求されている。この要求を満たすために、従来、基幹ネットワークでは、波長分離多重を用いた光ネットワークが利用されている。
【０００３】
波長分離多重を用いた光ネットワークでは、都市間の通信要求に対して、任意経路に任意波長を挿入し、任意経路から任意波長の信号光を分岐して受信する光分岐挿入装置（ＯＡＤＭ：Ｏｐｔｉｃａｌ  Ａｄｄ  ａｎｄ  Ｄｒｏｐ  Ｍｕｌｔｉｐｌｅｘｅｒ）が用いられる。
【０００４】
ＷＤＭでは、通常、複数の信号光の波長を包含する波長範囲を纏めて増幅するＥＤＦＡ等の光増幅が用いられるが、この光増幅では、ＡＳＥノイズ（ＡＳＥ：Ａｍｐｌｉｆｉｅｄ  Ｓｐｏｎｔａｎｅｏｕｓ  Ｅｍｉｓｓｉｏｎ）が発生するため、複数のＯＡＤＭを多段に接続して使用する場合、ＡＳＥノイズの累積に起因する障害に対する対策が必要となる。
【０００５】
たとえば、特許文献１には、ＯＡＤＭにおける光分波器と光合波器の間における個々の信号光の光路上に、個々の信号光に同調した光フィルタを配置することで、信号光以外のＡＳＥノイズを除去しようとする技術が開示されている。
【０００６】
また、当該特許文献１には、合波器の出力側の光路上に、個々の信号光毎の光パワーを検出する光モニタを配置し、観測された光パワーの情報を、光フィルタ制御部に帰還することで、個々の信号光のレベルを最大にしようとする技術も開示されている。
【０００７】
特許文献２には、ＯＡＤＭにおける光分波器と光合波器とでフリースペクトルレンジを異なるものを使用することで、ＡＳＥノイズの累積的な増加を防止しようとする技術が開示されている。
【０００８】
しかし、上述の特許文献１および特許文献２のいずれにおいても、以下のような、光挿入（ＡＤＤ）時における技術的課題は認識されていない。
すなわち、ＷＤＭでは、ある周波数間隔で設定された複数の波長の信号光の各々の強度（光パワー）を、目標レベルに揃えるように制御する必要があり、新たに信号光を挿入する場合には、挿入された信号光を目標レベルに誘導する制御が必要となる。
【０００９】
このため、挿入光が第１閾値レベルに到達するまで待機状態を維持し、この第１閾値レベルを超過したら信号レベルの自動制御状態に移行し、この自動制御状態において信号レベルが第２閾値レベル（＞第１閾値レベル）よりも低下した場合には待機状態に移行する、という制御を個々のＯＡＤＭにおいて行わせることが考えられる。
【００１０】
通常、自動制御状態における目標レベルへの制御は、個々の信号光の光路に設けられた光減衰器の開度を調節することで行われる。
しかし、ＡＳＥノイズは、波長多重光のほぼ全範囲の信号レベルを全体的に増加させるようにシフトさせるため、多段に接続された複数のＯＡＤＭを通過する間に累積され、挿入対象の未使用の波長域の信号レベルも増加しており、上述の第１閾値レベルを超過している可能性がある。
【００１１】
このため、多段に接続された複数のＯＡＤＭにおいて上述の待機状態と自動制御状態との間の遷移制御を信号レベルの検出に基づいて行った場合には、光信号を挿入するＯＡＤＭの後段に位置し、当該光信号を通過させるＯＡＤＭでは、到来する挿入波長域の信号光のレベルがＡＳＥノイズによって第１閾値レベルを超過していた場合、自動制御状態に遷移した状態となる。
【００１２】
また、この時のＡＳＥノイズのレベルは、目標レベルよりも低いため、自動制御状態の制御系では、目標レベルに到達させるために、減衰器の開度を最大にして待つ状態となる。
【００１３】
そして、この自動制御状態にあるＯＡＤＭに、前段側のＯＡＤＭで光ファイバの接続による光挿入を実行すると、減衰器の開度が最大となっているため、通過側のＯＡＤＭにおける挿入光の信号レベルは、目標レベルを突き抜けて異常に突出し、隣接する波長の他の信号光の信号レベルを乱して、混信（クロストーク）等のデータエラーをひき起こす、という技術的課題がある。
【００１４】
この技術的課題を回避するためには、ＯＡＤＭの接続段数を制限して、ＡＳＥノイズの累積を回避することが考えられるが、ＯＡＤＭを用いた通信システムの構築や通信距離に制約を生じる、という別の技術的課題を生じる。
【特許文献１】特開２００２−２０４２０９号公報
【特許文献２】特開２００３−６９４９６号公報
【発明の開示】
【発明が解決しようとする課題】
【００１５】
本発明の目的は、複数の光分岐挿入装置を含む光通信システムにおいて、追加部品によるコスト上昇を招くことなく、ＡＳＥノイズ等に起因する波長挿入時のデータ障害を確実に防止することが可能な技術を提供することにある。
【００１６】
本発明の他の目的は、複数の光分岐挿入装置を含む光通信システムにおいて、光分岐挿入装置の接続段数に制約を生じることなく、任意数の光分岐挿入装置の多段接続による長距離通信を実現することが可能な技術を提供することにある。
【００１７】
本発明の他の目的は、複数の光分岐挿入装置を含む光通信システムにおいて、光増幅器にて発生するＡＳＥノイズの多段累積を波長単位に除去することが可能な技術を提供することにある。
【課題を解決するための手段】
【００１８】
本発明の第１の観点は、波長多重光に対する光分岐挿入を行う光スイッチ手段と、前記波長多重光に含まれる個々の信号光単位に光パワーの制御を行う光パワー制御手段と、他の装置との間で制御情報の送受信を行う制御情報通信手段と、を含む光分岐挿入装置であって、
前記光パワー制御手段は、
前記光パワーの自動制御への遷移および離脱が、前記光パワーと閾値とを比較することによって行われる第１制御モードと、
前記光パワーの自動制御への遷移が前記制御情報通信手段を介して他の前記光分岐挿入装置から通知される制御情報に基づいて実行され、前記自動制御からの離脱が前記光パワーと閾値との比較に基づいて実行される第２制御モードと、
を実現する制御論理を含む光分岐挿入装置を提供する。
【００１９】
本発明の第２の観点は、波長多重光に対する信号光の光分岐挿入を行う光分岐挿入装置の制御方法であって、
制御対象の前記信号光が、自装置において挿入された挿入光か、外部から到来する通過光かを判別するステップと、
前記信号光が前記挿入光の場合には、前記挿入光の光パワーの自動制御への遷移および離脱が、前記光パワーと閾値とを比較することによって行われる第１制御モードを実行し、
前記信号光が前記通過光の場合には、前記通過光の光パワーの自動制御への遷移が、他の前記光分岐挿入装置から通知される制御情報に基づいて実行され、前記自動制御からの離脱が、前記光パワーと閾値との比較に基づいて行われる第２制御モードを実行するステップと、
を含む光分岐挿入装置の制御方法を提供する。
【００２０】
本発明の第３の観点は、波長多重光に対する信号光の光分岐挿入を行う光分岐挿入装置の制御プログラムであって、
前記光分岐挿入装置を構成するコンピュータに、
制御対象の前記信号光が、自装置において挿入された挿入光か、外部から到来する通過光かを判別する機能と、
前記信号光の光パワーの自動制御への遷移および離脱が、前記光パワーと閾値とを比較することによって行われる第１制御モードを実行する機能と、
前記信号光の光パワーの自動制御への遷移が、他の前記光分岐挿入装置から通知される制御情報に基づいて実行され、前記自動制御からの離脱が、前記光パワーと閾値との比較に基づいて行われる第２制御モードを実行する機能と、
を実現させる光分岐挿入装置の制御プログラムを提供する。
【００２１】
上記した本発明によれば、たとえば、光分岐挿入装置において、自装置が挿入した挿入光の波長ルート（Ａｄｄ  Ｐａｔｈ）では、光パワーに応じてフィードバック制御による自動制御状態に移行することが可能であり、実際の挿入光の運用開始に応じてフィードバック制御に自動的に移行して出力パワーの一定制御を行う第１制御モードに設定する。
【００２２】
一方、後段の他の光分岐挿入装置においては、他の光分岐挿入装置から到来する通過光の波長ルート（Ｔｈｒｏｕｇｈ  Ｐａｔｈ）では、当該通過光の波長域の偽の光パワー（すなわちＡＳＥノイズの累積）に影響されないシャットダウン状態で待機し、前段の挿入装置から通知された光挿入の有無を示す制御情報に基づいて、真に挿入光の運用が開始された場合（挿入光の波長が有効の場合）のみシャットダウン状態から、フィードバック制御による出力パワーの一定制御を行う状態に遷移する第２制御モードが設定される。
【００２３】
これにより、信号光の挿入元の光分岐挿入装置の下流側の他の光分岐挿入装置では、制御情報を介して、実際に通過光（上流側の光分岐挿入装置における挿入光）の運用が開始されたことを通知されるまでは、当該通過光の波長域の光パワーの自動制御は行われないために、当該波長域におけるＡＳＥノイズの累積的な発生が抑止される。
【００２４】
換言すれば、複数の光分岐挿入装置間におけるＡＳＥノイズの累積を、信号光の波長域単位に除去することができる。
このため、通過光の波長域におけるＡＳＥノイズの累積による誤った出力パワーの検出によって自動的にフィードバック制御へ遷移することを阻止できる。
【００２５】
この結果、フィードバック制御の状態で待機中に、他の装置から通過光が到来して、当該通過光の光パワーが目標レベルを突き抜けた状態となり、隣接する波長域の他の信号光を乱す等のデータ障害の発生を確実に回避することが可能となる。
【００２６】
換言すれば、ＡＳＥノイズの累積に影響されることなく、任意の段数の光分岐挿入装置を接続して光通信システムを構築でき、容易に長距離通信を実現できる。
第１および第２制御モードは、ソフトウェアやファームウェアで実現されるため、既存のシステムを変更することなく、追加部品等を必要とせずに低コストでＡＳＥノイズ対策を実現できる。
【発明の効果】
【００２７】
本発明によれば、複数の光分岐挿入装置を含む光通信システムにおいて、追加部品によるコスト上昇を招くことなく、ＡＳＥノイズ等に起因する波長挿入時のデータ障害を確実に防止することができる。
【００２８】
また、複数の光分岐挿入装置を含む光通信システムにおいて、光分岐挿入装置の接続段数に制約を生じることなく、任意数の光分岐挿入装置の多段接続による長距離通信を実現することができる。
【００２９】
また、複数の光分岐挿入装置を含む光通信システムにおいて、光増幅器にて発生するＡＳＥノイズの多段累積を波長単位に除去することができる。
また、複数の光分岐挿入装置を含む光通信システムにおいて、光増幅器にて発生するＡＳＥノイズの多段累積を波長単位に除去することができる。
【発明を実施するための最良の形態】
【００３０】
以下、図面を参照しながら、本発明の実施の形態について詳細に説明する。
図１は、本実施の形態の光分岐挿入装置およびその制御方法の作用の一例を示すフローチャートである。
【００３１】
図２Ａおよび図２Ｂは、本発明の一実施の形態である光分岐挿入方法を実施する光分岐挿入装置の作用の一例を示す状態遷移図である。
図３は、本発明の一実施の形態である光分岐挿入装置の構成の一例を示す概念図である。
【００３２】
図４は、本実施の形態の光分岐挿入装置の一部を取り出して例示した概念図である。
図５は、本実施の形態の光分岐挿入装置の一部を取り出して例示した概念図である。
図６は、本実施の形態の光分岐挿入装置にて用いられる情報テーブルの一例を示す概念図である。
【００３３】
図７は、本実施の形態の光分岐挿入装置を含むＷＤＭ通信システムの構成の一例を示す概念図である。
図８および図９は、本実施の形態の光分岐挿入装置およびその制御方法の作用の一例を示すフローチャートである。
図１０は、本実施の形態の光分岐挿入装置およびその制御方法の作用の一例を示す説明図である。
【００３４】
図７に例示されるように、本実施の形態のＷＤＭ通信システム３００は、光伝送路３０１、光伝送路３０２、ネットワーク中継機器３０３、光分岐挿入装置１００を含んでいる。
【００３５】
光伝送路３０１および光伝送路３０２は互いに逆方向に波長多重光３０を伝送する光ファイバ等の光媒体で構成されている。
この光伝送路３０１および光伝送路３０２の経路中には、複数の光分岐挿入装置１００が設けられており、波長多重光３０に対する信号光３１の挿入（追加）／分岐を行うことで、複数のネットワーク中継機器３０３の間における波長多重光３０を介した情報通信を実現する。
【００３６】
図３を参照して本実施の形態の光分岐挿入装置１００の構成例について説明する。
本実施の形態の光分岐挿入装置１００は、伝送方向が逆な一対の光伝送路３０１、光伝送路３０２に接続され、これらの各々を伝送される波長多重光３０からの信号光３１の取り出し、および波長多重光３０への信号光３１の挿入を行う。
【００３７】
光伝送路３０１および光伝送路３０２の各々に対する処理は、伝送方向が逆なだけで互いに等価なので、以下では、光伝送路３０１に連なる構成を中心に説明を進める。
本実施の形態の光分岐挿入装置１００は、波長挿入ユニット１１０、波長挿入ユニット１２０、アンプユニット１３０、アンプユニット１４０、光管理ユニット１５０、光管理ユニット１６０、波長分岐ユニット１７０、波長分岐ユニット１８０、制御基板１９０を含んでいる。
【００３８】
光伝送路３０１から到来する波長多重光３０は、アンプユニット１３０、波長挿入ユニット１１０、アンプユニット１４０を通過する。
光伝送路３０２から到来する波長多重光３０は、アンプユニット１４０、波長挿入ユニット１２０、アンプユニット１３０を通過する。
【００３９】
波長挿入ユニット１１０は、波長挿入／通過部１１１、光パワーモニタ部１１２、光パワー制御部１１３、挿入ポート１１４、通過入力ポート１１５、通過出力ポート１１６を含んでいる。
【００４０】
波長挿入／通過部１１１は、通過する波長多重光３０に対して、必要に応じて挿入ポート１１４から信号光３１の挿入を行う。
光パワーモニタ部１１２は、たとえば、スペクトラムアナライザで構成され、波長挿入／通過部１１１から出力される波長多重光３０に含まれる個々の信号光３１の光パワーを計測して、光パワー信号４０として光パワー制御部１１３に入力する。
【００４１】
光パワー制御部１１３は、光パワー信号４０に基づいて、光減衰制御信号４１を波長挿入／通過部１１１に入力することにより、波長挿入／通過部１１１を制御する。
図４に例示されるように、波長挿入／通過部１１１は、光分波器１１１ａ、光合波器１１１ｂ、光スイッチ１１１ｃ、光減衰器１１１ｄ、スイッチ制御部１１１ｆを含んでいる。
【００４２】
光分波器１１１ａは、通過入力ポート１１５の波長多重光３０から、波長の異なる複数の信号光３１を異なる光路に分岐させる。以下では、必要に応じて、個々の波長（信号光３１）に対応した通信路をチャネルと呼ぶ。
【００４３】
光合波器１１１ｂは、波長の異なる複数の信号光３１を一つの波長多重光３０に多重化し、通過出力ポート１１６に出力する。
光分波器１１１ａと光合波器１１１ｂとの間における個々の信号光３１の光路上には、光スイッチ１１１ｃ、光減衰器１１１ｄが配置されている。
【００４４】
光スイッチ１１１ｃは、対応するチャネルに対して、挿入ポート１１４に入力される信号光３１の挿入を行う。
光減衰器１１１ｄは、通過する信号光３１の光路を全開から全閉の間で変化させることで、信号光３１の光パワー（光量）を制御する。
【００４５】
スイッチ制御部１１１ｆは外部からの指示に基づいて、光スイッチ１１１ｃ、光減衰器１１１ｄを制御する。
本実施の形態の場合には、たとえば、光パワー制御部１１３から入力される光減衰制御信号４１に基づいて、個々の光減衰器１１１ｄにおける信号光３１の減衰量を制御する。
【００４６】
本実施の形態の光パワー制御部１１３は、一例として、図５に例示されるようなコンピュータ１０で構成されている。
コンピュータ１０は、プロセッサ１１、メモリ１２、入出力インタフェース１３を含んでいる。
【００４７】
プロセッサ１１は、たとえばＤＳＰ等からなり、メモリ１２に格納されたプログラムを実行することで、後述のような各種の制御を行う。
メモリ１２は、プロセッサ１１が実行する光パワー制御プログラム１４、さらには、光パワー制御テーブル１５を保持している。
【００４８】
光パワー制御プログラム１４は、プロセッサ１１によって実行されることにより、個々のチャネル毎に、後述の第１制御モード１４Ａ、第２制御モード１４Ｂを実現する。
入出力インタフェース１３は、コンピュータ１０（光パワー制御部１１３）と外部との間における情報の入出力を制御する。
【００４９】
本実施の形態の場合には、光パワー信号４０、光減衰制御信号４１、波長状態通知信号４２、チャネル制御信号２０１、等の入出力が行われる。
波長状態通知信号４２は、他の光分岐挿入装置１００の光パワー制御部１１３から、光管理ユニット１５０を介して受け取る情報であり、波長設定信号ＷＣＳ、波長状態情報ＷＣＦ、等の情報を含む。
【００５０】
任意の信号光３１を挿入する波長挿入ユニット１１０の光パワー制御部１１３は、挿入される当該信号光３１に関する波長状態通知信号４２（波長設定信号ＷＣＳ、波長状態情報ＷＣＦ）を、光管理ユニット１６０を介して、光伝送路３０１の下流側の光分岐挿入装置１００の波長挿入ユニット１１０（光パワー制御部１１３）に伝達する。
【００５１】
他の光分岐挿入装置１００で挿入された信号光３１が通過する光分岐挿入装置１００の波長挿入ユニット１１０（光パワー制御部１１３）では、光管理ユニット１５０を介して、当該信号光３１を挿入した上流側の光分岐挿入装置１００の波長挿入ユニット１１０（光パワー制御部１１３）から伝達される波長状態通知信号４２に基づいて、後述のような光パワーの制御を行う。
【００５２】
チャネル制御信号２０１は、制御基板１９０を介して外部の制御端末２００から、個々の光分岐挿入装置１００に対して与えられる、信号光３１の挿入、通過、分岐、等の指令情報、シャットダウン状態の設定変更の指令情報を含む。
【００５３】
図６に例示されるように、本実施の形態の光パワー制御テーブル１５は、チャネル名１５ａ、チャネル属性１５ｂ、制御ステータス１５ｃ、波長設定情報１５ｄ、チャネル状態１５ｅ、シャットダウン制御情報１５ｆ、等の情報が、個々のチャネル名１５ａ毎に設定可能になっている。
【００５４】
チャネル名１５ａは、複数の信号光３１の波長に対応したチャネルに付与された識別名である。
チャネル属性１５ｂは、個々のチャネル名１５ａで特定される信号光３１について、当該信号光３１が自装置で挿入するものか、他の光分岐挿入装置１００で挿入され、自装置を通過する（自装置で分岐される）ものかを識別するための情報が設定される。
【００５５】
すなわち、当該信号光３１が自装置で挿入された場合には“Ａ”（Ａｄｄ）が設定され、自装置を通過する場合には“Ｔ”（Ｔｈｒｏｕｇｈ）が設定される。
そして、このチャネル属性１５ｂの設定状態に応じて、当該チャネルにおいて第１制御モード１４Ａ、第２制御モード１４Ｂのいずれで動作するかを決定する。
【００５６】
属性の異なる複数のチャネルが混在する場合は、コンピュータ１０は、マルチタスクで光パワー制御プログラム１４を実行することで、個々のチャネル毎に第１制御モード１４Ａと第２制御モード１４Ｂを並行して実行する。
【００５７】
波長設定情報１５ｄは、当該チャネル名１５ａで特定される信号光３１が、運用中（Ｃｈａｎｎｅｌ  Ｉｎ  ｓｅｒｖｉｃｅ（ＩＳ））か、運用停止中（Ｃｈａｎｎｅｌ  Ｏｕｔ  Ｏｆ  ｓｅｒｖｉｃｅ（ＯＯＳ））か、を識別するために設定される。
【００５８】
運用中（Ｃｈａｎｎｅｌ  ＩＳ）は、波長設定信号ＷＣＳ＝１に対応し、運用停止中（Ｃｈａｎｎｅｌ  ＯＯＳ）は、波長設定信号ＷＣＳ＝０に対応する。
チャネル状態１５ｅは、運用中（波長設定信号ＷＣＳ＝１）の信号光３１について、何らかの原因で障害が発生しているか否かを示す情報が設定される。
【００５９】
すなわち、当該チャネル（信号光３１）に障害有りの場合は、波長状態情報ＷＣＦ＝１が設定され、障害無しの場合には、波長状態情報ＷＣＦ＝０が設定される。
シャットダウン制御情報１５ｆは、後述のシャットダウン状態２２への遷移／解除の状態を指示する情報が設定される。
【００６０】
このシャットダウン制御情報１５ｆの設定は、制御端末２００がチャネル制御信号２０１を介して行うこともできるし、上流側の光分岐挿入装置１００から制御信号光１６２を介して行うこともできる。
【００６１】
光パワー制御部１１３（コンピュータ１０）は、この光パワー制御テーブル１５に設定された情報に基づいて、個々のチャネルにおける光パワーの制御を行う。
波長挿入ユニット１２０は、波長挿入／通過部１２１、光パワーモニタ部１２２、光パワー制御部１２３、挿入ポート１２４、通過入力ポート１２５、通過出力ポート１２６を含んでいる。
【００６２】
波長挿入ユニット１２０の各部の構成は、上述の波長挿入ユニット１１０と同様であるので、説明は割愛する。
アンプユニット１３０は、プリアンプ部１３１、光分岐カプラ１３２、光分岐カプラ１３３、ポストアンプ部１３４、光合流カプラ１３５を含んでいる。
【００６３】
プリアンプ部１３１は、たとえば、ＥＤＦＡ等の光増幅器で構成され、光伝送路３０１から波長挿入ユニット１１０に入力される波長多重光３０を光のままで増幅する。
光分岐カプラ１３２は、プリアンプ部１３１に入力される波長多重光３０に含まれる制御信号光１６２を分岐させて光管理ユニット１５０に導く。
【００６４】
光分岐カプラ１３３は、プリアンプ部１３１から波長挿入／通過部１１１に至る波長多重光３０の一部を分岐させ、波長分岐ユニット１７０に導く。
ポストアンプ部１３４は、たとえば、ＥＤＦＡ等の光増幅器で構成され、波長挿入／通過部１２１から到来する波長多重光３０を光のままで増幅して光伝送路３０２に出力する。
【００６５】
光合流カプラ１３５は、光管理ユニット１５０から出力される制御信号光１５２を、ポストアンプ部１３４から出力される波長多重光３０に合波して多重化する。
アンプユニット１４０は、プリアンプ部１４１、光分岐カプラ１４２、光分岐カプラ１４３、ポストアンプ部１４４、光合流カプラ１４５を含んでいる。
【００６６】
プリアンプ部１４１は、たとえば、ＥＤＦＡ等の光増幅器で構成され、光伝送路３０２から波長挿入ユニット１２０に入力される波長多重光３０を光のままで増幅する。
光分岐カプラ１４２は、プリアンプ部１４１に入力される波長多重光３０に含まれる制御信号光１５２を分岐させて光管理ユニット１６０に導く。
【００６７】
光分岐カプラ１４３は、プリアンプ部１４１から波長挿入／通過部１２１に至る波長多重光３０の一部を分岐させ、波長分岐ユニット１８０に導く。
ポストアンプ部１４４は、たとえば、ＥＤＦＡ等の光増幅器で構成され、波長挿入／通過部１１１から到来する波長多重光３０を光のままで増幅して光伝送路３０１に出力する。
【００６８】
光合流カプラ１４５は、光管理ユニット１６０から出力される制御信号光１６２を、ポストアンプ部１４４から出力される波長多重光３０に合波して多重化する。
光管理ユニット１５０は、制御部１５１を含んでいる。この制御部１５１は、光伝送路３０２を介して、制御信号光１５２を隣接する光分岐挿入装置１００に設けられた光管理ユニット１６０に送信することで、たとえば、上述の波長状態通知信号４２等の情報を送る。
【００６９】
また、制御部１５１は、光伝送路３０１を介して後述の光管理ユニット１６０から到来する制御信号光１６２によって光管理ユニット１６０から上述の波長状態通知信号４２等の情報を受信する。
【００７０】
光管理ユニット１６０は、制御部１６１を含んでいる。この制御部１６１は、光伝送路３０１を介して、制御信号光１６２を隣接する光分岐挿入装置１００に設けられた光管理ユニット１６０に送信することで、上述の波長状態通知信号４２等の情報を送る。
【００７１】
また、制御部１６１は、光伝送路３０２を介して上述の光管理ユニット１５０から到来する制御信号光１５２によって当該光管理ユニット１５０から上述の波長状態通知信号４２等の情報を受信する。
【００７２】
波長分岐ユニット１７０は、波長ドロップ部１７１、ドロップポート１７２を含んでいる。波長ドロップ部１７１は、光分岐カプラ１３３で分岐された波長多重光３０から任意の波長の信号光３１を取り出してドロップポート１７２の一つに出力する。
【００７３】
同様に、波長分岐ユニット１８０は、波長ドロップ部１８１、ドロップポート１８２を含んでいる。波長ドロップ部１８１は、光分岐カプラ１４３で分岐された波長多重光３０から任意の波長の信号光３１を取り出してドロップポート１８２の一つに出力する。
【００７４】
制御基板１９０は、外部の制御端末２００から、光分岐挿入装置１００を構成する上述の各ユニットを制御する制御通信インタフェースを提供する。
制御端末２００は、たとえばパーソナルコンピュータ等で構成され、チャネル制御信号２０１を、光分岐挿入装置１００の波長挿入ユニット１１０および波長挿入ユニット１２０に入力することで、信号光３１の挿入、追加、分岐取り出し、等の設定を行う。
【００７５】
以下、本実施の形態の光分岐挿入方法および光分岐挿入装置１００の作用の一例について説明する。
本実施の形態では、個々の光分岐挿入装置１００では、波長多重光３０に多重化して運用する個々の信号光３１（波長：チャネル）毎に、自装置が当該信号光３１を挿入するのか、他の上流側の光分岐挿入装置１００で波長多重光３０に挿入された信号光３１が通過するのか、に応じて、当該信号光３１の光パワー信号の制御方法が異なる。
【００７６】
すなわち、図１のフローチャートに例示されるように、個々の光分岐挿入装置１００は、制御端末２００から、波長多重光３０の波長範囲のうちの空き波長域を使用した、新たな信号光３１の運用開始の指示を待つ（ステップ４０１）。
【００７７】
そして、運用開始の指示があった場合には、自装置における信号光３１の挿入が指示されたか否かを判別する（ステップ４０２）。
そして、自装置における信号光３１の挿入が指示された場合には、図２Ａに例示される第１制御モード１４Ａを選択し（ステップ４０３）、光パワー制御テーブル１５の対応するチャネル名１５ａのチャネル属性１５ｂとして“Ａ”を設定する。以下、この信号光３１の挿入を行う光分岐挿入装置１００を、必要に応じて挿入装置と記す。
【００７８】
同じ信号光３１に関して、挿入装置以外の当該信号光３１が通過する他の光分岐挿入装置１００（以下、必要に応じて通過装置と記す）は、自装置に接続された制御端末２００、または、挿入装置からの制御信号光１６２（波長状態通知信号４２）を介した情報通知により、自装置の光パワー制御テーブル１５におけるチャネル属性１５ｂに“Ｔ”を設定する。
【００７９】
また、光パワーの制御方法として図２Ｂに例示される第２制御モード１４Ｂを選択する（ステップ４０４）。
こうして、波長多重光３０に含まれる複数の信号光３１の各々については、一つの挿入装置（光分岐挿入装置１００）と、それ以外の通過装置（光分岐挿入装置１００）が決定され、個々の光分岐挿入装置１００では、光パワー制御テーブル１５のチャネル属性１５ｂに対応した属性が設定される。
【００８０】
図３の光伝送路３０１のルートの例では、ある信号光３１について、動作説明上、装置Ａを光挿入した波長ルート（Ａｄｄ  Ｐａｔｈ）の挿入装置、装置Ｂを光スルーした波長ルート（Ｔｈｒｏｕｇｈ  Ｐａｔｈ）の通過装置として説明する。
【００８１】
上述のように、本実施の形態の場合には、挿入装置と通過装置とで光パワーの制御方法は異なる。
まず、装置Ａでは、波長挿入／通過部１１１の挿入ポート１１４に信号光３１（ＷＤＭ信号）を挿入する。
【００８２】
波長挿入／通過部１１１は、光パワー制御テーブル１５の波長設定情報１５ｄ（波長設定信号ＷＣＳ）に従い、挿入ポート１１４の各々から挿入される入力波長を選択し、通過入力ポート１１５から到来する他の信号光３１との波長多重を行い波長多重光３０として通過出力ポート１１６から後段のポストアンプ部１４４に出力する。この波長多重光３０の一部は、光パワーモニタ部１１２に入力される。
【００８３】
ポストアンプ部１４４は、通過出力ポート１１６から到来する波長多重光３０に対して伝送距離（伝送ロス）分の光増幅を行い、光伝送路３０１を介して装置Ｂのプリアンプ部１３１へ出力する。
【００８４】
光管理ユニット１６０は、光パワー制御部１１３から得た波長状態通知信号４２に含まれる、波長設定信号ＷＣＳ、波長状態情報ＷＣＦを、制御信号光１６２を介して後段の装置Ｂの光管理ユニット１５０および光パワー制御部１１３に通知する。
【００８５】
装置Ｂのプリアンプ部１３１は到来する波長多重光３０に対して装置Ａとの間の光伝送路３０１の伝送距離（伝送ロス）分の光増幅を行い、波長挿入／通過部１１１の通過入力ポート１１５に出力する。
【００８６】
装置Ｂの波長挿入／通過部１１１は、制御信号光１６２、光管理ユニット１５０、波長状態通知信号４２を介して、装置Ａの側から通知された波長設定信号ＷＣＳ、波長状態情報ＷＣＦに従い、通過入力ポート１１５から到来する波長多重光３０と個々の挿入ポート１１４から挿入される入力波長（信号光３１）を選択し、波長多重を行い、通過出力ポート１１６を介して後段のポストアンプ部１４４に出力する。
【００８７】
通過出力ポート１１６に出力される波長多重光３０の一部は、光パワーモニタ部１１２に入力される。
ここで、波長多重光３０に含まれる複数の信号光３１は、各々の光パワー信号を所定のターゲットレベルＴＬに揃える必要がある。その理由は、個々の信号光３１の光パワーのレベルがばらつくと、クロストーク等の好ましくない現象が発生するからである。
【００８８】
そこで、本実施の形態の場合、個々の波長挿入ユニット１１０では、光パワー制御部１１３（この場合、コンピュータ１０の光パワー制御プログラム１４）が、光パワーモニタ部１１２で検出された個々の信号光３１の光パワー信号４０に基づいて、波長挿入／通過部１１１の内部の個々の光減衰器１１１ｄの開度を制御することで、波長多重光３０に含まれる複数の信号光３１の光パワーをターゲットレベルＴＬに揃える光パワー制御を行う。
【００８９】
この信号光３１の光パワー制御において、本実施の形態の場合では、挿入（パス）装置の場合と、通過（パス）装置の場合とで、上述のように異なる制御を行う。
すなわち、ある信号光３１を装置Ａで挿入し、当該信号光３１が装置Ｂを通過する場合、当該信号光３１に関しては、装置Ａでは第１制御モード１４Ａが実行され、装置Ｂでは、第２制御モード１４Ｂを実行する。
【００９０】
信号光３１を光挿入する波長ルート（Ａｄｄ  Ｐａｔｈ）の場合は、光パワー制御プログラム１４は、図２Ａの第１制御モード１４Ａを実行する。
まず、光分岐挿入装置１００の電源投入時の初期はブロック状態２１と定義し、入力波長選択および光パワー制御を行わない状態である。
【００９１】
次に、制御端末２００を介してユーザから設定される波長設定信号ＷＣＳの設定（ＷＣＳ＝１：Ｃｈａｎｎｅｌ  Ｉｎ  ｓｅｒｖｉｃｅ）に従い、入力波長選択を実施している間、シャットダウン状態２２とする。
【００９２】
入力波長選択が完了した後、制御端末２００からの指示（Ｓｈｕｔｄｏｗｎ  Ｒｅｌｅａｓｅ）により、シャットダウン状態２２からオートレベルダウン状態２３（ＡＬＤ：Ａｕｔｏ  Ｌｅｖｅｌ  Ｄｏｗｎ）へ遷移する。
【００９３】
このオートレベルダウン状態２３は、光減衰器１１１ｄを半開きにさせた状態であり、当該信号光３１の入力パワーがある一定以上レベル（ＡＬＤ  Ｒｅｌｅａｓｅ  Ｌｅｖｅｌ）（第１閾値Ｔｈ１）あるとオートレベルコントロール状態２４（ＡＬＣ：Ａｕｔｏ  Ｌｅｖｅｌ  Ｃｏｎｔｒｏｌ）に遷移する。
【００９４】
そして、このオートレベルコントロール状態２４では、光パワー制御部１１３が、光パワーモニタ部１１２から得られる光パワー信号４０に基づくフィードバック制御により、個々の波長域の信号光３１が期待するターゲットレベルＴＬになるよう更に光減衰器１１１ｄを徐々に開く制御を行う。
【００９５】
もし、光減衰器１１１ｄを更に開ききっても、ターゲットレベルＴＬに達しない場合、ある一定以下レベル（第２閾値Ｔｈ２）（ＡＬＤ  Ｔｒｉｇｇｅｒ  Ｌｅｖｅｌ）であると判断し、オートレベルダウン状態２３に遷移させ待機させる。
【００９６】
この光減衰器１１１ｄの半開き状態は、光減衰器１１１ｄの後方（通過出力ポート１１６側）にて光パワーモニタ部１１２により信号光３１のモニタを行っているため、光入力の有無を判断するために必須となる。
【００９７】
尚、ユーザから制御端末２００を介して強制的にシャットダウン状態２２への遷移指示（Ｓｈｕｔｄｏｗｎ  ｓｅｔ）が設定された場合、シャットダウン状態２２で待機し、波長設定信号ＷＣＳ＝０（Ｃｈａｎｎｅｌ  ＯＯＳ）が設定された場合は、ブロック状態２１で待機する。
【００９８】
通過する波長ルート（Ｔｈｒｏｕｇｈ  Ｐａｔｈ）の場合には、光パワー制御プログラム１４は、図２Ｂに例示される第２制御モード１４Ｂを実行する。
まず、電源立上げ時の初期はブロック状態２１と定義し、入力波長選択および光パワー制御部１１３による光パワー制御を行わない状態である。
【００９９】
次にユーザからの波長設定信号ＷＣＳ＝１の設定による波長有効化（Ｃｈａｎｎｅｌ  ＩＳ）の情報に従い、入力波長選択を実施している間、シャットダウン状態２２とする。
入力波長選択が完了した後、制御端末２００からのシャットダウン解放指示（Ｓｈｕｔｄｏｗｎ  Ｒｅｌｅａｓｅ）を設定する。そして、光管理ユニット１５０の制御部１５１を介して、挿入元の装置から通知された波長設定信号ＷＣＳの状態（Ｃｈａｎｎｅｌ  ＩＳ／ＯＯＳ）と、波長状態情報ＷＣＦの状態（Ｗａｖｅ  Ｃｈａｎｎｅｌ  Ｆａｉｌ  ／  Ｎｏｎ  Ｆａｉｌ）に従い、オートレベルコントロール状態２４への遷移の可否を判定する。
【０１００】
すなわち、波長設定信号ＷＣＳ＝１（Ｉｎ  ｓｅｒｖｉｃｅ状態）であり、かつ、波長状態情報ＷＣＦ＝０（Ｎｏｎ  Ｆａｉｌ）の場合に限って、シャットダウン状態２２からオートレベルコントロール状態２４（ＡＬＣ：Ａｕｔｏ  Ｌｅｖｅｌ  Ｃｏｎｔｒｏｌ）に遷移する。
【０１０１】
そして、このオートレベルコントロール状態２４では、光パワー制御部１１３が、光パワーモニタ部１１２から得られる光パワー信号４０に基づくフィードバック制御により、個々の波長域の信号光３１が期待するターゲットレベルＴＬになるように光減衰器１１１ｄを徐々に開く制御を行う。
【０１０２】
もし、光減衰器１１１ｄを更に開ききっても、ターゲットレベルＴＬに達しない場合には、ある一定以下レベル（第３閾値Ｔｈ３）（Ｓｈｕｔｄｏｗｎ  Ｔｒｉｇｇｅｒ  Ｌｅｖｅｌ）であると判断し、シャットダウン状態２２に遷移させ待機させる。
【０１０３】
なお、ユーザ（制御端末２００）から強制的にシャットダウン状態２２への遷移（Ｓｈｕｔｄｏｗｎ  ｓｅｔ）が設定された場合、シャットダウン状態２２で待機し、波長設定信号ＷＣＳ＝０（Ｃｈａｎｎｅｌ  ＯＯＳ）が設定された場合は、ブロック状態２１に遷移して待機する。
【０１０４】
このように、本実施の形態の場合には、自装置で信号光３１を挿入した波長ルート（Ａｄｄ  Ｐａｔｈ）では、第１制御モード１４Ａにより、光減衰器１１１ｄを半開き状態にさせ、光パワー制御部１１３が光パワー信号４０のフィードバック制御を行いつつ出力パワーの一定制御を行う。
【０１０５】
一方、ＡＳＥノイズが累積する信号光３１の通過波長ルート（Ｔｈｒｏｕｇｈ  Ｐａｔｈ）では、第２制御モード１４Ｂにより、シャットダウン状態２２で待機し、前段の挿入装置からの制御信号光１６２を介した波長設定信号ＷＣＳ、波長状態情報ＷＣＦ等の波長状態通知信号４２に基づいて、通過する信号光３１の波長が真に有効の場合のみ、シャットダウン状態２２からオートレベルコントロール状態２４に遷移して、光パワー制御部１１３が、光パワー信号４０を用いたフィードバック制御を行いつつ通過光の出力パワーの一定制御を行う。
【０１０６】
このため、ＡＳＥノイズの累積による誤った偽波長による出力パワーの一定制御を確実に回避させることが可能である。
また、運用中に制御信号光１６２等の制御回線に異常をきたしても、シャットダウン状態２２への遷移自体は、信号光３１の光レベルによる遷移であるため、既存の運用回線に対して動作仕様変更等の影響を与えることなく、光分岐挿入装置１００間にて確実にＡＳＥノイズの影響を排除することで、複数の光分岐挿入装置１００を含むＷＤＭ通信システム３００における長距離伝送が実現できる。
【０１０７】
また、第１制御モード１４Ａ、第２制御モード１４Ｂは、ソフトウェアやファームウェアで実現できるため、光分岐挿入装置１００に対する新たな部品追加等によるコストアップを生じることもない。
【０１０８】
このことを、図１０を参照して説明する。従来の光分岐挿入装置では、信号光３１が挿入光か通過光かに関係なく、図２Ａの第１制御モード１４Ａの制御を行っていた。
信号波形３０Ａのように挿入装置（パス）では、挿入開始時には、挿入対象の信号光３１（チャネルＣＨ３９）が未入力の状態でも、挿入開始時の光信号レベルの引き込みに備えてオートレベルコントロール状態２４への遷移を第１閾値Ｔｈ１（ＡＬＤｒｅｌｅａｓｅ  ｌｅｖｅｌ）で判定する。
【０１０９】
このため、ＡＳＥノイズ３２が当該第１閾値Ｔｈ１を超過すると、信号波形３０Ｂのように、オートレベルコントロール状態２４に遷移して光パワー制御部１１３は、光減衰器１１１ｄを全開にする制御が行われる。
【０１１０】
この波長多重光３０に含まれるＡＳＥノイズ３２は次のノードの光分岐挿入装置１００にそのまま伝播し、第１閾値Ｔｈ１を超えているので、当該光分岐挿入装置１００でも、信号波形３０Ｃに示されるようにオートレベルコントロール状態２４に遷移して光減衰器１１１ｄを全開にする。
【０１１１】
この状態が後段に位置する光分岐挿入装置１００で繰り返されると、信号波形３０Ｄのように、使用開始前のチャネル（ＣＨ３９）におけるＡＳＥノイズ３２が累積されてターゲットレベルＴＬと同等になる。
【０１１２】
そして、このような状態において、信号光３１の挿入元の光分岐挿入装置１００において、実際に当該信号光３１をチャネル（ＣＨ３９）に挿入すると、下流の通過装置側では、オートレベルコントロール状態２４で光減衰器１１１ｄを全開にしているため、挿入された信号光３１は、減衰されることなく、たとえば信号波形３０Ｄのように、ターゲットレベルＴＬを突き抜けた異常に大きな信号レベルとなる。
【０１１３】
この結果、このチャネル（ＣＨ３９）の異常に大きな信号レベルに影響されて、隣接する運用中のチャネル（ＣＨ４０）の信号光３１が乱されて、伝送障害となることが懸念される。
【０１１４】
これに対して、本実施の形態の場合には、信号光３１の挿入を行う挿入装置では第１制御モード１４Ａの制御を行うが、それ以外の通過装置の側では、第２制御モード１４Ｂで動作するため、挿入装置からの波長設定信号ＷＣＳ＝１、波長状態情報ＷＣＦ＝０、等の通知受けなければ、光減衰器１１１ｄを開くオートレベルコントロール状態２４には遷移しない。
【０１１５】
このため、挿入開始時に、挿入装置において第１制御モード１４Ａにより、オートレベルコントロール状態２４に遷移したとしても、下流側の他の通過装置では、シャットダウン状態２２のままであるため、挿入対象のチャネルの光減衰器１１１ｄは閉じており、ＡＳＥノイズ３２が通過装置側に累積して伝播することが防止される。
【０１１６】
そして、挿入装置では、実際に信号光３１をチャネルに挿入した後に、波長設定信号ＷＣＳ、波長状態情報ＷＣＦの情報を、制御信号光１６２を介して通過装置側に通知してオートレベルコントロール状態２４に遷移させる。
【０１１７】
これにより、挿入装置で挿入された信号光３１は、通過装置においては、第２制御モード１４Ｂによる光パワー制御部１１３によるフィードバック制御により、光減衰器１１１ｄを徐々に開くことで、目的のターゲットレベルＴＬに徐々に移行して安定化するように制御される。
【０１１８】
このため、挿入された信号光３１がターゲットレベルＴＬを突き抜けて異常に大きくなり、隣接するチャネルの信号光３１を乱してクロストーク等の通信障害を招くことを確実に防止できる。
【０１１９】
上述の本実施の形態の光分岐挿入装置１００の動作を、図８および図９を参照して、より具体的に説明する。
光挿入した挿入装置の波長ルート（Ａｄｄ  Ｐａｔｈ）と、次段以降の通過装置での光スルーした波長ルート（Ｔｈｒｏｕｇｈ  Ｐａｔｈ）の動作を、通常時の動作と、異常発生時の動作に分けて説明する。
【０１２０】
なお、説明の簡略化のため通過装置は既に運用状態待ち（電源立上げから波長設定完了状態）であることを前提に説明する。
図８に例示されるように、通常時の動作では、挿入装置は、電源投入によりブロック状態２１（初期状態）に遷移するとともに、通過装置に対してＷＣＳ＝０，ＷＣＦ＝０を通知する（ステップ５０１）。
【０１２１】
このとき、通過装置は、ブロック状態２１で待機する（ステップ６０１）。
次に、挿入装置では、制御端末２００から光パワー制御テーブル１５の波長設定情報１５ｄに波長設定信号ＷＣＳ＝１を設定する操作（波長設定）により、ブロック状態２１からシャットダウン状態２２に遷移する。また、通過装置に対してＷＣＳ＝１，ＷＣＦ＝１を通知する（ステップ５０２）。
【０１２２】
この時、通過装置は、ＷＣＳ＝１が通知されたことにより、ブロック状態２１からシャットダウン状態２２に遷移する（ステップ６０２）。
次に、挿入装置では、制御端末２００からシャットダウン制御情報１５ｆに“ｒｅｌｅａｓｅ”を設定することで、シャットダウン状態２２からオートレベルダウン状態２３に遷移し（波長設定完了）、通過装置に対してＷＣＳ＝１，ＷＣＦ＝１、シャットダウン状態２２の“ｒｅｌｅａｓｅ”を通知する（ステップ５０３）。
【０１２３】
この時、通過装置では、まだ波長状態情報ＷＣＦ＝０でないため、シャットダウン状態２２のままで待機する（ステップ６０３）。
次に、挿入装置は、挿入ポート１１４から入力される信号光３１の光パワー信号４０を監視する。そして、所定の第１閾値Ｔｈ１（ＡＬＤｒｅｌｅａｓｅＴｈ）を超過した時点で、オートレベルダウン状態２３からオートレベルコントロール状態２４に遷移し、挿入ポート１１４から挿入された信号光３１の出力パワーをターゲットレベルＴＬに一致させる出力パワー一定制御を開始する。同時に通過装置に対してＷＣＳ＝１，ＷＣＦ＝０を通知する（ステップ５０４）。
【０１２４】
これを受けた通過装置の側の光パワー制御部１１３では、シャットダウン制御情報１５ｆ＝“ｒｅｌｅａｓｅ”、ＷＣＳ＝１、ＷＣＦ＝０の条件が揃ったので、シャットダウン状態２２からオートレベルコントロール状態２４に遷移する。
【０１２５】
そして、光パワーモニタ部１１２からの光パワー信号４０に基づくフィードバック制御により、挿入装置側から到来する通過光（信号光３１）の出力パワーをターゲットレベルＴＬに一致させる出力パワー一定制御を実行する（ステップ６０４）。
【０１２６】
なお、この通過装置側では、信号光３１（通過光）の光パワー信号４０が、所定の第３閾値Ｔｈ３（この実施の形態では第２閾値Ｔｈ２と同一）を下回った時点、あるいは、制御端末２００からシャットダウン制御情報１５ｆに“ｓｅｔ”が設定された時点で、オートレベルコントロール状態２４からシャットダウン状態２２に遷移する。
【０１２７】
このような通常の稼働状態で、たとえば、信号光３１（挿入光）の途絶等の異常が発生した場合は、図９に示されるように、以下のような動作を行う。
すなわち、上述のステップ５０４のように、挿入装置は、オートレベルダウン状態２３からオートレベルコントロール状態２４に遷移して信号光３１（挿入光）の出力パワー一定制御を実行するとともに、通過装置に対してＷＣＳ＝１，ＷＣＦ＝０を通知する。
【０１２８】
これにより、上述のステップ６０３のように、通過装置では、シャットダウン状態２２からオートレベルコントロール状態２４に遷移して出力パワー一定制御を実行する。
この状態で、挿入装置において挿入ポート１１４で信号光３１（挿入光）の光断発生が発生すると、当該挿入装置では、光パワー信号４０が第２閾値Ｔｈ２より下回った時点でオートレベルコントロール状態２４からオートレベルダウン状態２３に遷移するとともに、通過装置に対してＷＣＳ＝１，ＷＣＦ＝１を通知する（ステップ５０５）。
【０１２９】
この時、通過装置の側では、信号光３１（通過光）が第３閾値Ｔｈ３を下回ったことを検出した時点で、オートレベルコントロール状態２４からシャットダウン状態２２に遷移する。このシャットダウン状態２２では光減衰器１１１ｄは閉じられており、ＡＳＥノイズの伝播は遮断された状態となる（ステップ６０５）。
【０１３０】
このように、通過装置（第２制御モード１４Ｂ）では、オートレベルコントロール状態２４からシャットダウン状態２２への遷移は、通過光の光パワー（光パワー信号４０）の低下に基づいて自動的に行われ、ＷＣＳ，ＷＣＦの情報はシャットダウン状態２２への遷移のトリガとしては使用しない。
【０１３１】
その後、挿入装置の側で、挿入ポート１１４における信号光３１（挿入光）の光断が復旧すると、第１閾値Ｔｈ１と光パワー信号４０との比較により、オートレベルダウン状態２３からオートレベルコントロール状態２４に自動的に遷移して出力パワー一定制御を行うとともに、通過装置に対してＷＣＳ＝１，ＷＣＦ＝０を通知する（ステップ５０６）。
【０１３２】
これを受けた通過装置では、挿入装置から通知されたＷＣＳ＝１，ＷＣＦ＝０の条件に基づいて、シャットダウン状態２２からオートレベルコントロール状態２４に遷移して、信号光３１（通過光）の出力パワー一定制御を再開する（ステップ６０６）。
【０１３３】
このように、通過装置におけるオートレベルコントロール状態２４への遷移は、挿入装置から通知されたＷＣＳ，ＷＣＦの情報に基づいて行われ、光パワーが一定以下であればシャットダウン状態２２のまま待機することになる。
【０１３４】
このように、本実施の形態によれば、図８のフローチャートに例示されるような挿入光の運用開始時はもとより、図９に例示されるような運用中の光障害の発生および回復時においても、第１制御モード１４Ａで動作する挿入（パス）装置以外の通過（パス）装置は第２制御モード１４Ｂとして動作するため、個々のチャネルにおける挿入装置から通過装置へのＡＳＥノイズ３２の伝播および累積が防止される。
【０１３５】
このため、挿入装置から通過装置へのＡＳＥノイズ３２の伝播および累積に起因して、信号光３１（挿入光）の光パワーがターゲットレベルＴＬを大きく突き抜けるような誤動作の発生が防止される。
【０１３６】
このため、特定のチャネル（波長）の信号光３１の光パワーが過大となって隣接するチャネルの信号光３１に影響し、クロストーク等のデータ障害をもたらすことを確実に防止することができる。
【０１３７】
なお、本発明は、上述の実施の形態に例示した構成に限らず、その趣旨を逸脱しない範囲で種々変更可能であることは言うまでもない。
（付記１）
波長多重光に対する光分岐挿入を行う光スイッチ手段と、前記波長多重光に含まれる個々の信号光単位に光パワーの制御を行う光パワー制御手段と、他の装置との間で制御情報の送受信を行う制御情報通信手段と、を含む光分岐挿入装置であって、
前記光パワー制御手段は、
前記光パワーの自動制御への遷移および離脱が、前記光パワーと閾値とを比較することによって行われる第１制御モードと、
前記光パワーの自動制御への遷移が前記制御情報通信手段を介して他の前記光分岐挿入装置から通知される制御情報に基づいて実行され、前記自動制御からの離脱が前記光パワーと閾値との比較に基づいて実行される第２制御モードと、
を実現する制御論理を含むことを特徴とする光分岐挿入装置。
（付記２）
付記１記載の光分岐挿入装置において、
前記第１制御モードは、前記信号光が自装置において挿入された挿入光の場合に用いられ、前記第２制御モードは、前記信号光が外部から到来する通過光の場合に用いられることを特徴とする光分岐挿入装置。
（付記３）
付記１記載の光分岐挿入装置において、
前記第１制御モードは、電源投入時のブロック状態と、前記挿入光の使用開始を認識した時のシャットダウン状態と、前記挿入光の光パワーの自動制御に移行するか否かを判別するためのオートレベルダウン状態と、前記挿入光の光パワーを前記自動制御によって目標レベルに一致させるオートレベルコントロール状態と、を含み、
前記シャットダウン状態から前記オートレベルダウン状態への遷移および復帰は、外部からのシャットダウン解除およびシャットダウン設定の指令によって行われ、
前記オートレベルダウン状態から前記オートレベルコントロール状態への遷移および復帰は、前記挿入光の光パワーが第１閾値を超過したか否か、および第２閾値を下回ったか否かに基づいて行われることを特徴とする光分岐挿入装置。
（付記４）
付記１記載の光分岐挿入装置において、
前記第２制御モードは、電源投入時のブロック状態と、前記通過光の使用開始を認識した時のシャットダウン状態と、前記通過光の光パワーを自動制御によって目標レベルに一致させるオートレベルコントロール状態と、を含み、
前記シャットダウン状態から前記オートレベルコントロール状態への遷移は、前記制御情報通信手段を介して他の前記光分岐挿入装置から通知される制御情報に基づいて実行され、前記オートレベルコントロール状態からの離脱は、前記光パワーと閾値との比較に基づいて実行されることを特徴とする光分岐挿入装置。
（付記５）
付記１記載の光分岐挿入装置において、
さらに、個々の前記信号光毎の光パワーを調整する光減衰手段と、個々の前記信号光毎の光パワーを検出する光パワー観測手段とを含み、
前記自動制御は、前記光パワー観測手段から得られる前記光パワーに基づいて前記光減衰手段を制御するフィードバック制御であることを特徴とする光分岐挿入装置。
（付記６）
波長多重光に対する信号光の光分岐挿入を行う光分岐挿入装置の制御方法であって、
制御対象の前記信号光が、自装置において挿入された挿入光か、外部から到来する通過光かを判別するステップと、
前記信号光が前記挿入光の場合には、前記挿入光の光パワーの自動制御への遷移および離脱が、前記光パワーと閾値とを比較することによって行われる第１制御モードを実行し、
前記信号光が前記通過光の場合には、前記通過光の光パワーの自動制御への遷移が、他の前記光分岐挿入装置から通知される制御情報に基づいて実行され、前記自動制御からの離脱が、前記光パワーと閾値との比較に基づいて行われる第２制御モードを実行するステップと、
を含むことを特徴とする光分岐挿入装置の制御方法。
（付記７）
付記６記載の光分岐挿入装置の制御方法において、
前記第１制御モードは、電源投入時のブロック状態と、前記挿入光の使用開始を認識した時のシャットダウン状態と、前記挿入光の光パワーの自動制御に移行するか否かを判別するためのオートレベルダウン状態と、前記挿入光の光パワーを自動制御によって目標レベルに一致させるオートレベルコントロール状態と、を含み、
前記シャットダウン状態から前記オートレベルダウン状態への遷移および復帰は、外部からのシャットダウン解除およびシャットダウン設定の指令によって行われ、
前記オートレベルダウン状態から前記オートレベルコントロール状態への遷移および復帰は、前記挿入光の光パワーが第１閾値を超過したか否か、および第２閾値を下回ったか否かに基づいて行われることを特徴とする光分岐挿入装置の制御方法。
（付記８）
付記６記載の光分岐挿入装置の制御方法において、
前記第２制御モードは、電源投入時のブロック状態と、前記通過光の使用開始を認識した時のシャットダウン状態と、前記挿入光の光パワーを自動制御によって目標レベルに一致させるオートレベルコントロール状態と、を含み、
前記シャットダウン状態から前記オートレベルコントロール状態への遷移は、他の前記光分岐挿入装置から通知される制御情報に基づいて実行され、
前記オートレベルコントロール状態からの離脱は、前記光パワーと閾値との比較に基づいて実行されることを特徴とする光分岐挿入装置の制御方法。
（付記９）
付記６記載の光分岐挿入装置の制御方法において、
前記光パワーの自動制御は、当該光パワーの観測結果に基づいて減衰量を変化させるフィードバック制御であることを特徴とする光分岐挿入装置の制御方法。
（付記１０）
波長多重光に対する信号光の光分岐挿入を行う光分岐挿入装置の制御プログラムであって、
前記光分岐挿入装置を構成するコンピュータに、
制御対象の前記信号光が、自装置において挿入された挿入光か、外部から到来する通過光かを判別する機能と、
前記信号光の光パワーの自動制御への遷移および離脱が、前記光パワーと閾値とを比較することによって行われる第１制御モードを実行する機能と、
前記信号光の光パワーの自動制御への遷移が、他の前記光分岐挿入装置から通知される制御情報に基づいて実行され、前記自動制御からの離脱が、前記光パワーと閾値との比較に基づいて行われる第２制御モードを実行する機能と、
を実現させることを特徴とする光分岐挿入装置の制御プログラム。
（付記１１）
付記１０記載の光分岐挿入装置の制御プログラムにおいて、
前記第１制御モードは、前記信号光が自装置において挿入された挿入光の場合に実行され、電源投入時のブロック状態と、前記挿入光の使用開始を認識した時のシャットダウン状態と、前記挿入光の光パワーの自動制御に移行するか否かを判別するためのオートレベルダウン状態と、前記挿入光の光パワーを前記自動制御によって目標レベルに一致させるオートレベルコントロール状態と、を含み、
前記シャットダウン状態から前記オートレベルダウン状態への遷移および復帰は、外部からのシャットダウン解除およびシャットダウン設定の指令によって行われ、
前記オートレベルダウン状態から前記オートレベルコントロール状態への遷移および復帰は、前記挿入光の光パワーが第１閾値を超過したか否か、および第２閾値を下回ったか否かに基づいて行われることを特徴とする光分岐挿入装置の制御プログラム。
（付記１２）
付記１０記載の光分岐挿入装置の制御プログラムにおいて、
前記第２制御モードは、前記信号光が外部から到来する通過光の場合に実行され、電源投入時のブロック状態と、前記通過光の使用開始を認識した時のシャットダウン状態と、前記挿入光の光パワーを自動制御によって目標レベルに一致させるオートレベルコントロール状態と、を含み、
前記シャットダウン状態から前記オートレベルコントロール状態への遷移は、他の前記光分岐挿入装置から通知される制御情報に基づいて実行され、
前記オートレベルコントロール状態からの離脱は、前記光パワーと閾値との比較に基づいて実行されることを特徴とする光分岐挿入装置の制御プログラム。
（付記１３）
付記１０記載の光分岐挿入装置の制御プログラムにおいて、
前記自動制御は、前記光パワーの観測結果に応じて当該光パワーの減衰量を制御するフィードバック制御であることを特徴とする光分岐挿入装置の制御プログラム。
【図面の簡単な説明】
【０１３８】
【図１】本発明の一実施の形態である光分岐挿入装置およびその制御方法の作用の一例を示すフローチャートである。
【図２Ａ】本発明の一実施の形態である光分岐挿入方法を実施する光分岐挿入装置の作用の一例を示す状態遷移図である。
【図２Ｂ】本発明の一実施の形態である光分岐挿入方法を実施する光分岐挿入装置の作用の一例を示す状態遷移図である。
【図３】本発明の一実施の形態である光分岐挿入装置の構成の一例を示す概念図である。
【図４】本発明の一実施の形態である光分岐挿入装置の一部を取り出して例示した概念図である。
【図５】本発明の一実施の形態である光分岐挿入装置の一部を取り出して例示した概念図である。
【図６】本発明の一実施の形態である光分岐挿入装置にて用いられる情報テーブルの一例を示す概念図である。
【図７】本発明の一実施の形態である光分岐挿入装置を含むＷＤＭ通信システムの構成の一例を示す概念図である。
【図８】本発明の一実施の形態である光分岐挿入装置およびその制御方法の作用の一例を示すフローチャートである。
【図９】本発明の一実施の形態である光分岐挿入装置およびその制御方法の作用の一例を示すフローチャートである。
【図１０】本発明の一実施の形態である光分岐挿入装置およびその制御方法の作用の一例を、従来技術の技術的課題と対照して示す説明図である。
【符号の説明】
【０１３９】
１０  コンピュータ
１１  プロセッサ
１２  メモリ
１３  入出力インタフェース
１４  光パワー制御プログラム
１４Ａ  第１制御モード
１４Ｂ  第２制御モード
１５  光パワー制御テーブル
１５ａ  チャネル名
１５ｂ  チャネル属性
１５ｃ  制御ステータス
１５ｄ  波長設定情報
１５ｅ  チャネル状態
１５ｆ  シャットダウン制御情報
２１  ブロック状態
２２  シャットダウン状態
２３  オートレベルダウン状態
２４  オートレベルコントロール状態
３０  波長多重光
３１  信号光
３２  ＡＳＥノイズ
４０  光パワー信号
４１  光減衰制御信号
４２  波長状態通知信号
１００  光分岐挿入装置
１１０  波長挿入ユニット
１１１  波長挿入／通過部
１１１ａ  光分波器
１１１ｂ  光合波器
１１１ｃ  光スイッチ
１１１ｄ  光減衰器
１１１ｆ  スイッチ制御部
１１２  光パワーモニタ部
１１３  光パワー制御部
１１４  挿入ポート
１１５  通過入力ポート
１１６  通過出力ポート
１２０  波長挿入ユニット
１２１  波長挿入／通過部
１２２  光パワーモニタ部
１２３  光パワー制御部
１２４  挿入ポート
１２５  通過入力ポート
１２６  通過出力ポート
１３０  アンプユニット
１３１  プリアンプ部
１３２  光分岐カプラ
１３３  光分岐カプラ
１３４  ポストアンプ部
１３５  光合流カプラ
１４０  アンプユニット
１４１  プリアンプ部
１４２  光分岐カプラ
１４３  光分岐カプラ
１４４  ポストアンプ部
１４５  光合流カプラ
１５０  光管理ユニット
１５１  制御部
１５２  制御信号光
１６０  光管理ユニット
１６１  制御部
１６２  制御信号光
１７０  波長分岐ユニット
１７１  波長ドロップ部
１７２  ドロップポート
１８０  波長分岐ユニット
１８１  波長ドロップ部
１８２  ドロップポート
１９０  制御基板
２００  制御端末
２０１  チャネル制御信号
３００  ＷＤＭ通信システム
３０１  光伝送路
３０２  光伝送路
ＴＬ  ターゲットレベル
Ｔｈ１  第１閾値
Ｔｈ２  第２閾値
Ｔｈ３  第３閾値
ＷＣＦ  波長状態情報
ＷＣＳ  波長設定信号
【図１】
0004657907.tif 000002
【図２Ａ】
0004657907.tif 000003
【図２Ｂ】
0004657907.tif 000004
【図３】
0004657907.tif 000005
【図４】
0004657907.tif 000006
【図５】
0004657907.tif 000007
【図６】
0004657907.tif 000008
【図７】
0004657907.tif 000009
【図８】
0004657907.tif 000010
【図９】
0004657907.tif 000011
【図１０】
0004657907.tif 000012